(57)【要約】【課題】偏平形状から四角筒状の立体形状にカートンスリーブを立ち起こして成形する際に、偏平折り癖を除去することによって、カートンスリーブ内にマンドレルをスムーズに挿入できるようにするとともに容器に形状歪みやシールズレを発生させずに良好なボトムシール成型やトップシール成型ができるようにする。【解決手段】折目を介して正規折り曲げ方向に折り曲げられる以前の未折曲カートンブランクシートを供給する供給工程（Ａ）と、未折曲カートンブランクシート１０の選択された直線折目を介して連設した連設シート１０ａを折りベルトまたは折りガイドにて正規折り曲げ方向に対して逆方向に直角に近似する鈍角に折り曲げる逆折曲工程（Ｂ）と、逆方向に折り曲げられた前記連設シート１０ａを前記直線折目を介して折り曲げ内面側からエアー噴射手段Ｐにてエアーａを連続的に吹き付けて正規の折り曲げ方向に折り戻す折り戻し工程（Ｃ）からなる。【選択図】図１
2004338095.tif 000002
【特許請求の範囲】
【請求項１】
折目を介して一方側の正規の方向に折り曲げられる前の未折曲ブランクシートを供給する供給工程と、未折曲ブランクシートに形成された直線折目のうち選択された１つの直線折目を介して連設した連設シートを折りベルトまたは折りガイドにて前記正規の方向に対して逆方向に直角に近似するように折り曲げる逆折曲工程と、逆方向に折り曲げられた前記連設シートを前記直線折目を介して逆折曲内面側からエアー噴射手段にてエアーを吹き付けて正規方向に折り戻す折り戻し工程とからなることを特徴とするブランクシート折目の折り癖除去方法。
【請求項２】
前記折り戻し工程の前記エアー噴射手段は、工程方向に沿って１個又は２個以上複数個の噴射口を備えていることを特徴とする請求項１記載のブランクシート折目の折り癖除去方法。
【請求項３】
前記未折曲ブランクシートは、平行な縦折目を介して容器胴部となる四方の側面板及びサイドシール部となる貼着板と、各側面板及び貼着板の上部に折目を介してトップシール部となる上面板と、各側面板及び貼着板の下部に折目を介してボトムシール部となる底面板とを連設して構成され、逆方向に折り曲げるべく選択される前記１つの直線折目が、平行な縦折目のうちのいずれか１つ乃至２つ以上の縦折目の中から選択されることを特徴とする請求項１又は請求項２記載のブランクシート折目の折り癖除去方法。
【発明の詳細な説明】
【０００１】
【発明の属する技術分野】
本発明は、液体包装用の角筒状紙製容器（液体パック）としてのカートン製函用等のブランクシートの折目における折り癖を除去したり、折目の折曲抗力を緩めるためのブランクシート折り癖除去方法に関する。
【０００２】
【従来の技術】
一般に、図２に示すように、液体包装用の角筒状紙製容器（液体パック）の製函用カートンブランクシート１０は、紙基材シートの両面にポリエチレン若しくはポリエチレンテレフタレートなどの合成樹脂フィルムを積層した矩形状の複合シートにより形成され、平行な縦折目ａ、ｂ、ｃ、ｄを介して容器胴部となる四方の側面板１、２、３、４及びサイドシール部１１となる貼着板５と、側面板１、２、３、４及び貼着板５の上部に折目ｅを介してトップシール部Ｅとなる上面板６と、側面板１、２、３、４及び貼着板５の下部に折目ｇを介してボトムシール部Ｆとなる底面板７とを連設して構成されている。
【０００３】
そして、上記ブランクシート１０は、図３に示すように、平行な４本の折目ａ、ｂ、ｃ、ｄのうち、折目ａ、ｃを介して折り曲げて、側面板１端部を側面板４端部の貼着板５上に重ね合わせて、図４（ａ）の下面図に示すように、偏平な折り畳みカートンスリーブ２０として貼着形成される。
【０００４】
そして、図４（ａ）の下面図に示すように、偏平折り畳みカートンスリーブ２０の折目ａ、ｃ側から対向するように押圧しながら、あるいは１つの側面板を引き込むようにしながら、折目ｂ、ｄを外側に折り曲げて、図４（ｂ）に示すように立ち起こして、側面板１、２、３、４からなる四角筒体のカートンスリーブ２０が形成されている。
【０００５】
そして、図５に示すように、立ち起こしたカートンスリーブ２０の側面板１、３の上部と下部を、それぞれ水平折目ｅ、ｇを介して上部の上端同士と下部の下端同士を重ね合わせるように折り曲げられているとともに、対向する他の側面板２、４の上部と下部とを、それぞれ４５°折目ｆと４５°折目ｈとを介して内方に折り曲げ、前記上部上端の重ね合わせ内面を加熱シールしてトップシール部１２が形成され、下部下端の前記重ね合わせ内面を加熱シールしてボトムシール部１３が形成されている。
【０００６】
【発明が解決しようとする課題】
ところで、液体包装用の角筒状紙製容器（カートン）に液体内容物を充填する充填機においては、予め製函前に上記ブランクシートから形成された偏平に折り畳まれたカートンスリーブ２０（図４（ａ）参照）が使用される。
【０００７】
そして、この偏平なカートンスリーブ２０を多数集積するカートンマガジン部よりカートンスリーブを１部づつ立ち起こし手段に供給し、その立ち起こし手段により強制的に立体四角筒体に立ち起こして製函用マンドレルに挿入し、その立体四角筒体の下部をボトムシール成型により密封成型して角筒容器として成型した後に液体内容物を充填し、角筒容器の上部をトップシール成型することにより液体を密封充填している。
【０００８】
しかしながら、予め製函前にブランクシートの側面板１端部を側面板４端部の貼着板５上に重ね合わせて偏平に折り畳み貼着してカートンスリーブを形成するサック貼り工程において形成されたカートンスリーブには、偏平方向の一方向への折り畳み癖が付いているため、立ち起こし手段によって偏平形状から立体形状に強制的に四角筒状に立ち起こされたとしても、カートンスリーブが立ち起こし手段より解放されて、次の工程の製函用マンドレルがカートンスリーブ内に挿入する際に、そのカートンスリーブが最初から付いている偏平な折り癖によって再度偏平な形状の方向に戻り易い。
【０００９】
そのため、立ち起こされたカートンスリーブが製函手段のガイド板及びアーム板の正しい位置に正確に当接せず、製函用マンドレルを挿入する際や、ボトム成型及びトップ成型する際に、マンドレルがカートンスリーブ内にスムーズに挿入されなかったり、カートンスリーブからボトムシール成型やトップシール成型される容器に、形状歪みやシールズレなどが生じる不都合があった。
【００１０】
本発明は、ブランクシートの折目の折り癖を除去したり折曲抗力を緩めることにより、ブランクシートからカートン容器等の物品を折り曲げて形成したり、ブランクシートから形成されたカートンスリーブ等を偏平形状から四角筒状の立体形状に立ち起こして成形したりする際に、折り曲げ易く、また立ち起こしやすくすることにあり、カートンスリーブ等をガイド板及びアーム板の正しい位置に正確に当接させ、カートンスリーブ内にマンドレルをスムーズに挿入できるようにするとともに、ブランクシートから形成される容器に形状歪みやシールズレを発生させずに、良好なボトムシール成型やトップシール成型ができるようにすることにある。
【００１１】
【課題を解決するための手段】
本発明の請求項１に係る発明は、折目を介して一方側の正規の方向に折り曲げられる前の未折曲ブランクシートを供給する供給工程（Ａ）と、未折曲ブランクシート１０に形成された直線折目のうち選択された１つの直線折目を介して連設した連設シート１０ａを折りベルトまたは折りガイドにて前記正規の方向に対して逆方向に直角に近似するように折り曲げる逆折曲工程（Ｂ）と、逆方向に折り曲げられた前記連設シート１０ａを前記直線折目を介して逆折曲内面側からエアー噴射手段Ｐにてエアーａを吹き付けて正規方向に折り戻す折り戻し工程（Ｃ）とからなることを特徴とするブランクシート折目の折り癖除去方法である。
【００１２】
本発明の請求項２に係る発明は、上記請求項１に係るブランクシート折目の折り癖除去方法において、前記折り戻し工程（Ｃ）の前記エアー噴射手段Ｐは、工程方向に沿って１個又は２個以上複数個の噴射口Ｐ１  〜Ｐｎ  を備えていることを特徴とするブランクシート折目の折り癖除去方法である。
【００１３】
本発明の請求項３に係る発明は、上記請求項１又は請求項２に係るブランクシート折目の折り癖除去方法において、前記未折曲ブランクシートは、平行な縦折目ａ、ｂ、ｃ、ｄを介して容器胴部となる四方の側面板１、２、３、４及びサイドシール部１１となる貼着板５と、各側面板１、２、３、４及び貼着板５の上部に折目ｅを介してトップシール部Ｅとなる上面板６と、各側面板１、２、３、４及び貼着板５の下部に折目ｇを介してボトムシール部Ｆとなる底面板７とを連設して構成され、逆方向に折り曲げるべく選択される前記１つの直線折目が、平行な縦折目のうちのいずれか１つ乃至２つ以上の縦折目の中から選択されることを特徴とするブランクシート折目の折り癖除去方法である。
【００１４】
【発明の実施の形態】
本発明のブランクシート折目の折り癖除去方法を、実施の形態に沿って以下に詳細に説明すれば、図１（ａ）〜（ｂ）はブランクシート折目の折り癖除去工程を説明する斜視図であり、折り癖除去工程には、ブランクシート１０を水平に載置する搬送台部３０を備え、該搬送台部３０には、該搬送台部３０上の長手方向に沿って配置したブランクシート１０をその上面と下面にて挟持して回転送行する上下一対の対向エンドレスベルト３１（又は搬送台部３０上に載置したブランクシート１０の後端部を押しながら搬送し、搬送台部３０上の長手方向に沿って設けた溝部内を平行に回転送行するエンドレスチェーン３１と、該チェーン３１に等間隔に取り付けられた搬送台部３０面に突出して送行する押送爪部３２）と、ブランクシート１０を搬送する搬送台部３０の搬送幅方向一端部に設けた折りガイド部３３とを備える。
【００１５】
また、該搬送台部３０上には、エンドレスベルト３１に平行に送行回転してブランクシート１０を搬送台部３０面に向かって押さながら送行回転するエンドレス状の押さえベルト４１、４２を備えている。
【００１６】
前記搬送台部３０の折りガイド部３３の外側には、該ガイド部３３に沿って回転送行する柔軟性のあるフレキシブルなエンドレス状の折りガイドベルト３４（ゴム製、合成樹脂製、皮製等）を備え、該折りガイドベルト３４は、その両端を水平回転軸Ｏｓ  、Ｏｅ  に支持されて回転する水平ローラ（又はプーリ）３５、３６に巻回して回転送行している。なお水平回転軸Ｏｓ  、Ｏｅ  のいずれか一方は、駆動回転軸である。
【００１７】
前記水平ローラ３５、３６の間には、水平回転軸Ｏｓ  、Ｏｅ  に対して順次、折りガイド３３（搬送台部３０の台面）よりも外側に徐々に低く傾斜する複数の傾斜回転軸を備え、各々傾斜回転軸に支持されて自由回転する傾斜押さえローラを備える。
【００１８】
図１（ａ）に示すように、水平回転軸Ｏｓ  、Ｏｅ  に対して順次、折りガイド３３（搬送台部３０の台面）よりも外側に徐々に低く傾斜する、例えば３対の傾斜回転軸Ｏ１  、Ｏ２  、Ｏ３  を備え、それぞれ傾斜回転軸Ｏ１  、Ｏ２  、Ｏ３  に支持されて回転する傾斜押さえローラ３７、３８、３９を備えている。
【００１９】
また、前記複数の傾斜押さえローラ３７、３８、３９の後方には、その最終の押さえローラ（例えば図１（ａ）に示す押さえローラ３９）の傾斜回転軸の傾斜角度に対して僅かに水平方向に傾斜角度変換された緩やかな傾斜角度の傾斜回転軸（例えば図１（ａ）に示す傾斜回転軸Ｏ４  ）を備え、該傾斜回転軸に支持されて自由回転する水平姿勢変換用のベルトガイドローラ４０を備えている。
【００２０】
該ベルトガイドローラ４０により水平方向に僅かに緩やかな傾斜角度にガイドされて送行するエンドレスベルト３４は、図１（ｂ）に示すように、該ベルトガイドローラ４０の後方に設けた水平ローラ３６に水平方向に姿勢変換ガイドされて回転送行する。
【００２１】
前記ブランクシート１０を搬送するエンドレスベルト３１は、搬送台部３０に平行に回転送行するように延設されている。
【００２２】
なお、本発明のブランクシート折目の折り癖除去方法においては、前記折りガイドベルト３４に替えて、該折りガイドベルト３４と同様の曲面を備えた金属製やプラスチック製の折りガイド板を採用することは可能である。
【００２３】
本発明の折り癖除去方法をさらに詳細に説明すれば、１（ａ）に示すように、本発明の折り癖除去工程は、水平ローラ３５の手前に、折目を介して折り曲げられる前の未折曲ブランクシート１０を供給する供給工程（Ａ）を備え、未折曲ブランクシート１０を、そのブランクシート１０の選択した所定の１つの直線折目（例えば、図２の折目ｂ）を直線状の折りガイド３３に直線ラインに整合させて、押さえベルト４１、４２にて押さえながら、エンドレスベルト３１により、未折曲ブランクシート１０に形成されている直線折目のうち、折りガイドベルト３４及び水平ローラ３５の下側に供給する。
【００２４】
続いて、前記供給工程（Ａ）の後方には、未折曲ブランクシート１０に形成されている直線折目のうち、選択した前記１つの直線折目（例えば、図２の折目ｂ）を介して連設した折りガイド３３（搬送台部３０の台面）より外側の連設シート１０ａ（例えば、図２の側面板１、２）を、折り曲げるべき一方側（例えば上方）の正規の折り曲げ方向とは反対側の逆方向（例えば下方）に、折りガイドベルト３４及び折りガイド３３にて、直角に近似する鈍角に折り曲げる逆折曲工程（Ｂ）を備える。
【００２５】
該逆折曲工程（Ｂ）では、折りガイドベルト３４及び水平ローラ３５の下側に供給された前記ブランクシート１０の選択した前記１つの直線折目（例えば折目ｂ）を介して折りガイド３３より外側に連設されている連設シート１０ａ（例えば側面板１、２）が、水平回転軸Ｏｓ  、Ｏｅ  に対して順次、折りガイド３３よりも外側に徐々に低く傾斜する複数の傾斜回転軸（例えばＯ１  、Ｏ２  、Ｏ３  ）に支持されて自由回転する傾斜押さえローラ（例えば３７、３８、３９）により押さえられて徐々に折りガイド３３（搬送台部３０の台面）よりも外側に低く傾斜する折りガイドベルト３４により、正規の折り曲げ方向とは反対側の逆方向（下方）に直角に近似する鈍角に折り曲げられる。
【００２６】
前記逆折曲工程（Ｂ）の傾斜押さえローラの後方には、その最終の傾斜押さえローラ（例えば図１（ａ）に示す傾斜押さえローラ３９）の傾斜回転軸の傾斜角度に対して、僅かに水平方向に傾斜角度変換された緩やかな傾斜角度の傾斜回転軸Ｏ４  に支持されて自由回転するベルトガイドローラ４０を備え、折りガイド３３（搬送台部３０の台面）よりも外側に低く傾斜する折りガイドベルト３４は、該ベルトガイドローラ４０と後方にある水平ガイドローラ３６により、折りガイド３３（搬送台部３０の台面）と略同一高さの水平姿勢に変換されて回転送行する。
【００２７】
続いて、前記逆折曲工程（Ｂ）の後方には、図１（ａ）〜（ｂ）に示すように、正規の折り曲げ方向とは反対側の逆方向（下方）に折り曲げられた前記ブランクシート１０の連設シート１０ａ（図２の側面板１、２）を、前記選択した直線折目（例えば折目ｂ）を介して、前記逆方向（下方）に対して反対方向の正規の折り曲げ方向（上方）に折り戻す折り戻し工程（Ｃ）を備える。
【００２８】
前記エアー噴射手段Ｐは工程方向に沿って、１個又は２個以上複数個の噴射口Ｐ１  〜Ｐｎ  を備えていて、該噴射口Ｐ１  〜Ｐｎ  のエアー噴射量（ｃｍ３  ／分）又はエアー噴射速度（ｍ／秒）を適宜に調整することにより、前記ブランクシート１０の連設シート１０ａを他方側に折曲するものである。例えば、噴射口Ｐ１  〜Ｐｎ  のエアー噴射量（ｃｍ３  ／分）又はエアー噴射速度（ｍ／秒）を、この工程方向の順に増大させてエアーａを吹き付けるようにしてもよい。
【００２９】
該折り戻し工程（Ｃ）では、前記ブランクシート１０は押さえベルト４１、４２にて上側から押さえ保持されながら、継続してエンドレスベルト３１（又はエンドレスチェーン、又はエンドレスチェーンの押送爪部３２）にて押送されて搬送され、逆方向（下方）に折り曲げられた前記ブランクシート１０の連設シート１０ａ（例えば側面板１、２）は、折りガイドベルト３４及び水平姿勢変換用のベルトガイドローラ４０の下側に供給される。
【００３０】
そして、連設シート１０ａは、図１（ａ）〜（ｂ）に示すように、折りガイド３３の側部下方に沿って設置したエアー噴射手段Ｐの複数のエアー噴射口Ｐ１  〜Ｐｋ  にて、該連設シート１０ａの逆折り曲げ内面（下面）側から、正規の折り曲げ方向（上方）に向かって噴射エアーａが連続的（又は断続的）に吹き付けられて、該連設シート１０ａは、傾斜姿勢から折りガイド３３（搬送台部３０の台面）と略同一高さの水平姿勢に徐々に姿勢変換される前記折りガイドベルト３４の下面に面接触しながら搬送される。
【００３１】
そして、図１（ｂ）に示すように、該連設シート１０ａは、その下面側からエアー噴射手段Ｐによって吹き付けられるエアーａによって、直線折目（例えば折目ａ）を介して折りガイドベルト３４の下面に沿って、正規の折り曲げ方向（上方）に折り戻されて水平姿勢になり、折りガイドベルト３４及び水平ローラ３６の下面を通過して、エアー噴射手段Ｐの最終の噴射口Ｐｎ  を通過した後は、連設シート１０ａは、搬送台部３０上面と同一面に設置した回転送行するエンドレス支持ベルト４３（又は支持ローラ）上に水平に保持されながら、エンドレスベルト３１（又はエンドレスチェーン押送爪部３２）により押送されて搬出される。
【００３２】
本発明の上記折り癖除去方法において折り癖を除去するための上記未折曲ブランクシート１０の形態は特に限定されるものではないが、例えば、図２に示すように、平行な縦折目ａ、ｂ、ｃ、ｄを介して容器胴部となる四方の側面板１、２、３、４及びサイドシール部１１となる貼着板５と、側面板１、２、３、４及び貼着板５の上部に折目ｅを介してトップシール部Ｅとなる上面板６と、側面板１、２、３、４及び貼着板５の下部に折目ｇを介してボトムシール部Ｆとなる底面板７とを連設して構成される四角筒状の液体紙製容器製函用のカートンブランクシート１０であってもよいし、容器以外の各種の物品をシートを折り曲げて形成するために使用するブランクシートであってもよい。
【００３３】
また、一方向と他方向とに折り曲げる前記直線折目は、未折曲ブランクシート１０に形成された１乃至複数の直線折目のうち、１乃至複数の適宜の折目を選択して、折り癖を除去することができ、例えば、図２に示すような平行な縦折目ａ、ｂ、ｃ、ｄのうちのいずれか１つ乃至２つ以上の直線折目を選択して折り癖を除去することができる。
【００３４】
【発明の効果】
本発明のブランクシート折目の折り癖除去方法は、液体包装用の角筒状紙製容器（液体パック）などの製函用カートンブランクシートなどブランクシートの折目の折り癖を除去する方法であり、ブランクシートを折り曲げて各種物品を形成する際や、ブランクシートから形成されるカートンスリーブを偏平形状から四角筒状の立体形状に立ち起こして角筒状紙製容器のボトム部やトップ部等を成形する際に、本発明の方法により偏平折り癖を除去することによって、ブランクシートの折り曲げ成形が容易になり、カートンスリーブ内に紙製容器製函充填装置のボトム成形用マンドレルをスムーズに挿入することができるようになり、カートンスリーブを紙製容器製函充填装置のガイド板及びアーム板等の装置の正しい位置に正確に当接させることができ、容器に形状歪みや、シールズレを発生させずに、良好なボトムシール成型やトップシール成型を行うことができる。
【図面の簡単な説明】
【図１】（ａ）〜（ｂ）は本発明のカートン折り癖除去方法におけるカートン折り癖工程を説明する斜視図。
【図２】一般的なカートンブランクシートの平面図。
【図３】一般的なカートンブランクシートからカートンスリーブを形成する場合の折り曲げ状態を説明する斜視図。
【図４】（ａ）は一般的なカートンスリーブを説明する下面図（又は上面図）、（ｂ）は一般的なカートンスリーブを四角筒状に立ち起こした状態のカートンスリーブを説明する下面図（又は上面図）。
【図５】一般的なカートンスリーブから成形された角筒状紙製容器の斜視図。
【符号の説明】
ａ、ｂ、ｃ、ｄ…直線折目
１、２、３、４…側面板  ５…貼着板  ６…上面板  ７…底面板
１０…カートンブランクシート  １０ａ…連設シート  １１…サイドシール部
１２…トップシール部  １３…ボトムシール部
２０…カートンスリーブ
３０…搬送台部  ３１…エンドレスベルト（又はエンドレスチェーン）
３２…押送爪部  ３３…折りガイド部  ３４…折りガイドベルト
３５、３６…水平ローラ  ３７、３８、３９…傾斜押さえローラ
４０…水平姿勢変換用ベルトガイドローラ  ４１、４２…押さえベルト
４３…支持ベルト
Ｐ…エアー噴射手段  Ｐ１  〜Ｐｎ  …噴射口
【図１】
2004338095.tif 000003
【図２】
2004338095.tif 000004
【図３】
2004338095.tif 000005
【図４】
2004338095.tif 000006
【図５】
2004338095.tif 000007